(57)【特許請求の範囲】
【請求項１】
内側管（１０）及び外側管（２０）、及び内側管（１０）の内側端部の端部側に取付けられかつ内側管（１０）と外側管（２０）との間の中間空間（Ｚ）内に配置された合成物質製パッキンスリーブ（１３）を有し、このパッキンスリーブの材料厚さが、内側管（１０）と外側管（２０）との間のはめあい遊び（Ｚ）より大きくなく、パッキンスリーブ（１３）が、軸線方向に内側管（１０）の内側端面（１１）を越えて突出しかつ自己弾性的に外側管（２０）の内側周面（２１）に支持されるパッキン片（１４）を有し、パッキンスリーブ（１３）がスリーブ側係止手段（２３）を形成し、また内側管（１０）が管側対向係止手段（２２）を形成し、スリーブ側係止手段（２３）及び管側対向係止手段（２２）が、パッキンスリーブ（１３）を内側管（１０）上に少なくとも軸線方向に固定する、伸縮可能な真空掃除機吸入管において、内側管（１０）に、対向係止手段として、内側管（１０）と外側管（２０）との間の中間空間（Ｚ）内に突出した少なくとも１つの突起（２２）が付属しており、突起（２２）が、内側管（１０）の壁に固定されており、スリーブ側係止手段が、パッキンスリーブ（１３）の内周面（１９）において開きかつ突起（２２）を収容する切り欠き（２３）によって形成され、この切り欠き（２３）がパッキンスリーブ（１３）の壁に通口を形成していることを特徴とする、伸縮可能な真空掃除機吸入管。
【請求項２】
突起（２２）が、内側管（１０）の壁に取り外し不可能に固定的に結合されていることを特徴とする、請求項１に記載の伸縮可能な真空掃除機吸入管。
【請求項３】
突起（２２）が、内側管（１０）の壁に材料結合して結合されていることを特徴とする、請求項１又は２に記載の伸縮可能な真空掃除機吸入管。
【請求項４】
金属からなる内側管（１０）の場合、突起（２２）が、管内部空間（２４）から外方に突出する永続的に変形されたスタンピング個所であることを特徴とする、請求項１ないし３の１つに記載の伸縮可能な真空掃除機吸入管。
【請求項５】
切り欠き（２３）が、内側管（１０）の内側端面（１１）から離れた方の側において、内側管（１０）の外周面（１２）の母線（Ｍ）に対して横向きに又は傾斜して延びた少なくとも１つの係止面（Ｓ）を形成しており、この係止面が、内側管の内側端面（１１）から離れた方の突起（２２）の対応する対向係止面（Ｇ）に係合することを特徴とする、請求項１ないし４の１つに記載の伸縮可能な真空掃除機吸入管。
【請求項６】
突起（２２）が、内側管（１０）の内側端面（１１）の方向にその外周面（１２）にまで管長手方向（ｘ）にしなやかに低下する摺動面（２５）を形成していることを特徴とする、請求項１ないし５の１つに記載の伸縮可能な真空掃除機吸入管。
【請求項７】
摺動面（２５）が、こぶ又は傾斜路状に低下する面を形成していることを特徴とする、請求項６に記載の伸縮可能な真空掃除機吸入管。
【請求項８】
内側管（１０）の外周面（１２）への移行部において突起（２２）の外側輪郭が、ほぼ三角形又は台形であり、内側管（１０）の内側端面（１１）の方に向いた外側輪郭の三角形又は台形の辺（２６）が、摺動面（２５）を区画しており、内側端面（１１）から離れた方の三角形輪郭又は台形輪郭の底辺（２７）が、対向係止面（Ｇ）を区画していることを特徴とする、請求項１ないし７の１つに記載の伸縮可能な真空掃除機吸入管。
【請求項９】
スリーブ側係止手段を形成する切り欠き（２３）の内側輪郭（Ｋ）が、突起（２２）の外側輪郭（２６，２６；２７）に整合されていることを特徴とする、請求項１ないし８の１つに記載の真空掃除機吸入管。
【請求項１０】
内側管（１０）の内側端面（１１）から離れた方のパッキンスリーブ（１３）の端面（３０）が、内側管（１０）と外側管（２０）との間の中間空間（Ｚ）内に突出しかつ内側管（１０）に固定された少なくとも１つの支持ストッパ（２９）に当たることを特徴とする、請求項１ないし９の１つに記載の伸縮可能な真空掃除機吸入管。
【請求項１１】
支持ストッパ（２９）が、内側管（１０）の内部空間（２４）から外方に突出する永続的に変形されたスタンピング個所であることを特徴とする、請求項１０に記載の伸縮可能な真空掃除機吸入管。
【発明の詳細な説明】
【０００１】
【発明の属する技術分野】
本発明は、内側管及び外側管、及び内側管の内側端部の端部側に取付けられかつ内側管と外側管との間の中間空間内に配置された合成物質製パッキンスリーブを有し、このパッキンスリーブの材料厚さが、内側管と外側管との間のはめあい遊びより大きくなく、パッキンスリーブが、軸線方向に内側管の内側端面を越えて突出しかつ自己弾性的に外側管の内側周面に支持されるパッキン片を有し、パッキンスリーブがスリーブ側係止手段を形成し、また内側管が管側対向係止手段を形成し、スリーブ側係止手段及び管側対向係止手段が、パッキンスリーブを内側管上に少なくとも軸線方向に固定する、伸縮可能な真空掃除機吸入管に関する。
【０００２】
【従来の技術】
このような真空掃除機吸入管は、ドイツ連邦共和国特許出願公開第４０１７７２１号明細書によって公知になっている。
【０００３】
公知の真空掃除機吸入管は、とくに最小化された吸入損失のために有利とわかった。これは、テレスコピック継目内にいずれにせよ存在する内側管の外周面と外側管の内周面の間の遊び空間が、合成物質からなるパッキンスリーブを収容するために利用されることによって達成される。
【０００４】
内側管の外周面上におけるパッキンスリーブの位置決め及び取付けのために、公知のパッキンスリーブは、スリーブ側の係止手段として半径方向内方に突出しかつ半径方向に弾性的にたわむ係止フックを有する。
【０００５】
管側の対向係止手段として公知の真空掃除機吸入管の内側管は、内側管壁を通り抜ける係止切り欠き（通口）を有し、これらの係止切り欠き内にスリーブ側の係止フックがはまり込む。
【０００６】
ドイツ連邦共和国特許出願公開第４０１７７２１号明細書による真空掃除機吸入管が大規模に実際に優れているとわかったとはいえ、公知の装置は、その取付け取扱いに関して改善の必要があると感じられる。
【０００７】
公知の装置においてそれ自体有利な取付け様式は、パッキンスリーブをパッキン片から離れた方のその外側軸線方向範囲によって前に内側管の内側端面を越えてその外周面上に、内側管側の通口内にスリーブ側の係止フックが噛み合うまで、軸線方向にかぶせる点にある。
【０００８】
通口は、常に避けることができない鋭いエッジの縁を有する押し抜き切り欠きを形成するので、不都合な取付け取扱いの際に、良好な密閉作用のために比較的軟らかい合成物質からなるパッキンスリーブの係止フックがかき取られ、したがって内側管におけるパッキンスリーブの支障ない取付けが常に保証されているわけではないということは排除できない。
【０００９】
【発明が解決しようとする課題】
ドイツ連邦共和国特許出願公開第４０１７７２１号明細書により公知の伸縮可能な真空掃除機吸入管を前提として、本発明の課題は、公知のパッキンスリーブの取付け能力を改善し、かつ場合によってはそれに伴って、パッキンスリーブの取付けのためのコスト浪費を減少することにある。
【００１０】
【課題を解決するための手段】
本発明に相応してこの課題は、次のようにして解決される。すなわち内側管に、対向係止手段として内側管と外側管との間の中間空間内に突出した少なくとも１つの突起が付属しており、突起が、内側管の壁に固定されており、スリーブ側係止手段が、スリーブの内周面において開きかつ対向係止手段を収容する切り欠きによって形成され、この切り欠きがパッキンスリーブの壁に通口を形成している。
【００１１】
本発明による装置の特別の利点は、内側管と外側管との間の中間空間内に突出した内側管側の突起が、−ドイツ連邦共和国特許出願公開第４０１７７２１号明細書による内側管の壁を通り抜ける係止切り欠きとは相違して−パッキンスリーブのかぶせ取付けの際にスリーブ側切り欠きとしての通口の内側輪郭を傷付けることがないように、初めから簡単な手段によって形成できるという点にある。
【００１２】
これに関連して本発明は、切り欠きとしての通口を、材料対のうち軟らかい材料したがってパッキンスリーブに割当て、管側対向係止手段したがって突起を内側管の硬い材料から形成することが有利である、ことを認識した点にある。
【００１３】
目的に合うように本発明は、突起が、内側管の壁に取り外し不可能に固定的に結合されていることを考慮しており、その際、この結合は、目的に合うように内側管の壁と突起の材料結合からなることができる。
【００１４】
本発明の別の構成において、金属からなる内側管の際に、突起は、管内部空間から外方に突出する永続的に変形されたスタンピング位置である。このようなスタンピング位置の製造は、内側管が、いずれにせよ外側管のために引出しストッパと決められかつ内側管の外周面から突出した少なくとも１つのスタンピング位置を有するときに、とくに望ましい。
【００１５】
このような場合、引出しストッパを製造するためにスタンピング工具は、管側の対向係止手段を、すなわち本発明による突起を製造するために、わずかな寸法だけ軸線方向にずらすだけでよい。二重スタンピング工具によって引出しストッパ及び本発明による突起を時間的にまとめて１つの作業過程において製造することは、同様に可能である。
【００１６】
本発明による構成変形は、次のような特徴を有する。すなわちスリーブ側の切り欠きは、内側管の内側端面から離れた方のその側において、内側管の外周面の母線に対して横向きに又は傾斜して延びた少なくとも１つの係止面を形成しており、この係止面は、内側管の内側端面から離れた方の突起の対応する対向係止面を後からつかんでいる。
【００１７】
本発明の別の構成において、パッキンスリーブのとくにていねいなかぶせ取付けは、次のようにして達成される。すなわち突起が、内側管の内側端面の方向にその外周面にまで管長手方向にしなやかに低下する摺動面を形成している。その際、摺動面は、こぶ又は傾斜路状に低下する面をなしていることができる。
【００１８】
突起の外側輪郭の形は、可能なあらゆる形をとることができるとはいえ、本発明は、有利な構成変形を次のように形成している。すなわち内側管の外周面への移行部において突起の外側輪郭が、ほぼ三角形又は台形であり、その際、内側管の内側端面の方に向いた外側輪郭の三角形又は台形の辺が、摺動面を区画しており、かつ内側端面から離れた方の三角形輪郭又は台形輪郭の底辺が、対向係止面を区画している。
【００１９】
本発明に相当する変形は、スリーブ側の係止手段を形成する切り欠きの内側輪郭が、突起の外側輪郭に整合されていることにある。
【００２０】
スリーブ側の係止手段を形成する切り欠きを沈み部としてスリーブ部材の内周面に設けることは、原則的に実現可能であるとはいえ、本発明は、このような切り欠きをパッキンスリーブの壁に通口として形成することを、簡単な製造可能性のためにとくに望ましいとみなしている。その際、突起の半径方向の高さが、パッキンスリーブの壁の厚さに等しいか、又はそれより小さいと目的に合っている。
【００２１】
ドイツ連邦共和国特許出願公開第４０１７７２１号明細書による公知のパッキンスリーブは、その内側端部に半径方向内方に突出した支持リングを有し、この支持リングは、パッキンスリーブの取付けの後に、内側管の内側端面に接触し、したがってかぶせ制限部をなしている。
【００２２】
このようなかぶせ制限部は、公知の支持リングを維持して、又は公知の支持リングの置き換えによって、本発明によれば次のようにして実現することができる。すなわち内側管の内側端面から離れた方のパッキンスリーブの端面が、内側及び外側管の間の中間空間内に突出しかつ内側管に固定された少なくとも１つの支持ストッパに当たる。
【００２３】
支持ストッパが、内側管の内部空間から外方に突出する永続的に変形されたスタンピング位置であることによって、特別の利点が得られ、このスタンピング位置は、すでに述べた引出しストッパによって形成することもできる。
【００２４】
【発明の実施の形態】
図面に本発明に相当する有利な実施例が示されている。
【００２５】
例えば鋼板等のような金属からなる内側管１０は、その内側端面１１に隣接してその外周面１２上に、例えばポリアミド、ポリエチレン又はポリプロピレンのような、パッキンの目的に適した熱可塑性合成物質からなるパッキンスリーブ１３を支持している。
【００２６】
内側管１０は、伸縮可能な真空掃除機吸入管装置の構成部分である。
【００２７】
図３及び５において、上側範囲に外側管が破線で暗示されており、かつ２０で示されている。外側管２０の内周面は、参照符号２１を有するが、一方内側管１０の外周面１２と外側管２０の内周面２１との間の中間空間は、Ｚで示されている。
【００２８】
外側管２０によって支持されるロック装置は図示されておらず、このロック装置は、再び内側管１０の図示されていない係止凹所と、種々のテレスコピック位置を調節できるようにするために共同動作する。
【００２９】
図１、３及び５に関連して、外側管２０は、管長手軸線ｘに関して左から見て、例えばソケット状のロック装置とともに内側管１０の一方の軸線方向端部範囲を上からつかむように考えなければならない。
【００３０】
その際、パッキンスリーブ１３は、内側管１０の外周面１２と外側管２０の内周面２１との管の通常の遊び空間又は中間空間Ｚ内に配置されている。
【００３１】
図１、３、４及び５に関して軸線方向左に突出したパッキンスリーブ１３のパッキン片１４は、半径方向に変形しながら、全周長さにおいて半径方向内側から外方へ外側管２０の内周面２１に押付けられる。
【００３２】
図１−４に相応するパッキンスリーブ１３の構成において、内側端面１１を越えて軸線方向左に突出するパッキンスリーブ１３の範囲１５は、半径方向内方に向いた支持リング１６が存在するように、ほぼ円錐形に半径方向内方に引込まれており、この支持リングは、軸線方向に内側端面１１に当たる。目的に合うように支持リング１６は、内側管１０の内側横断面積の不利な減少を避けるために、内側端面１１の一部の面積だけを覆っている。
【００３３】
内側管１０は、半径方向外方に変形された軸線方向案内波形部１７を有し、この案内波形部内に、パッキンスリーブ１３の内周面１９から半径方向内方に突出した軸線方向案内リブ１８がはまる。
【００３４】
内側管１０は、対向係止手段として、内側管１０の外周面１２と外側管２０の内周面１９との間の中間空間Ｚ内に突出した４つの突起２２を有する。
【００３５】
それぞれの突起２２は、切り欠き２３の形のスリーブ側係止手段によって収容され、この切り欠きは、パッキンスリーブ１３の壁における通口を形成している。
【００３６】
それぞれの突起２２は、内側管１０の壁に材料結合されている。その際、それぞれの突起２２は、内側管１０の内部空間２４から中間空間Ｚ内に突出した永続的に変形されたスタンピング位置を形成している。
【００３７】
それぞれの切り欠き２３は、内側管１０の内側端面１１から離れた方のその側に、内側管１０の外周面１２の母線Ｍに対して横向きに延びた係止面Ｓを形成し、この係止面は、内側管１０の内側端面１１から離れた方の突起２２の対応する対向係止面Ｇを後からつかんでいる。
【００３８】
それぞれの突起２２は、内側管１０の内側端面１１に向かってその外周面１２にまでしなやかに傾斜路状に低下する摺動面２５を形成している。
【００３９】
それぞれの突起２２の外側輪郭は、内側管１０の外周面１２への移行部にいて、ほぼ三角形又はほぼ台形に形成されている。その際、内側管１０の内側端面１１の方に向いた外側輪郭の三角形又は台形の辺２６は、摺動面２５を区画するが、一方内側端面１１から離れた方の三角形輪郭又は台形輪郭の底辺２７は、対向係止面Ｇを区画している。
【００４０】
とくに図１から明らかなように、切り欠き２３の内側輪郭は、突起２２の外側輪郭にほぼ整合されている。
【００４１】
図５から明らかなように、パッキンスリーブ１３が、その外側端面３０により内側管１０と外側管２０の間の中間空間Ｚ内に突出する少なくとも１つの支持ストッパ２８に当たり、この支持ストッパが追加的に外側管２０のための引出しストッパを形成することができるように形成され、とくに延長されているとき、支持リング１６は、省略することができる（無条件で省略しなければならないわけではない）。支持ストッパ２９は、同様にスタンピング位置をなしている。
【図面の簡単な説明】
【図１】伸縮可能な真空掃除機吸入管の内側管のパッキンスリーブを備えた端部範囲を半径方向外方から見た図である。
【図２】図１におけるＩＩにより示す矢印に相応して内側管の軸線方向端面を見た図である。
【図３】図２におけるＩＩＩ−ＩＩＩにより示す切断線に相応する長手断面図である。
【図４】図１にＩＶにより示す視線方向に相当するパッキンスリーブの分離した斜視図である。
【図５】変形された構成のパッキンスリーブを備えた内側管の上側範囲だけを示す図３の表示様式に相当するいくらか拡大された図である。
【符号の説明】
１０  内側管
１１  内側端面
１２  外周面
１３  パッキンスリーブ
１４  パッキン片
１９  内周面
２０  外側管
２１  内周面
２２  対向係止手段
２３  係止手段
２４  管内部空間
２５  摺動面
２６  辺
２７  底辺
２９  支持ストッパ
Ｇ    対向係止面
Ｍ    母線
Ｓ    係止面
ｘ    管長手方向
Ｚ    中間空間
【図１】
0004048261.tif 000002
【図２】
0004048261.tif 000003
【図３】
0004048261.tif 000004
【図４】
0004048261.tif 000005
【図５】
0004048261.tif 000006